(57)【要約】      （修正有）【課題】温度低減効果を持続し、保水量を高め、更にそれに伴い発生しやすくなる汚れ、滑りを防止する保水ブロックを提供する。【解決手段】保水量０．２５ｇ／ｃｍ３以上の保水性を持つ本体表面に、上面に釉掛け層を持つ高さ０．５ｍｍ以上の凸部２又は保水量０．１５ｇ／ｃｍ３以下、高さ０．５ｍｍ以上の凸部２を多数個設けることにより溝部１が形成される。【選択図】図１
0003161983.tif 000002
【実用新案登録請求の範囲】
【請求項１】
保水量０．２５ｇ／ｃｍ３以上の保水性を持つ本体の表面に、０．５ｍｍ以上の凸部を形成し、該凸部を、多数個設けることにより溝部１が形成されたことを特徴とする保水性ブロック。
【請求項２】
保水量０．２５ｇ／ｃｍ３以上の保水性を持つ本体の表面に形成された凸部が、保水量０．１５ｇ／ｃｍ３以下の保水性としたことを特徴とする保水性ブロック。
【請求項３】
保水量０．２５ｇ／ｃｍ３以上の保水性を持つ本体の表面の上面に釉掛け層を持つ凸部が形成されたことを特徴とする保水性ブロック。
【考案の詳細な説明】
【技術分野】
【０００１】  本考案は、保水量０．２５ｇ／ｃｍ３以上の保水性を持つ本体表面に保水量０．１５ｇ／ｃｍ３以下、高さ０．５ｍｍ以上の凸部分を多数個設けた保水性ブロックに関するものであり、インターロッキングブロック、床平板などとして利用するものである。
本体表面に、その上面に釉掛けした高さ０．５ｍｍ以上凸部を多数個設けた保水量０／２５ｇ／ｃｍ３以上のブロック（インターロッキングブロック、床平板など）である。
【背景技術】
【０００２】  従来、保水量０．２５ｇ／ｃｍ３以上の高い保水性を持つ舗装用ブロックは、雨水を保水し、また地中の水を吸い上げ、夏季晴天でも、表面に湿り気を帯びさせることができ、水打ちなどの水の供給がなくても、雨後数日に亘って低い表面温度を維持させることが可能であるが、冬季、気温が零下になり、霜柱が発生するような条件下では、ブロック表面に厚さ１〜２ｍｍ程度の氷の層が出来ることがあり、滑りやすくなる。これを氷の層が生成しない凸部を適宜配置し、防ぎたい。
また、高い保水量を持つブロック表面は常時水分を保有しているので、黒カビや藻の発生がある。自然現象であるが、外観上問題視されることがあり、また藻の発生で滑りやすくなることもある。これを常時は湿ることのない凸部を設けることで防ぎたい。
さらに高い保水性ブロックの表面には無数の内部に繋がる毛管の穴があり、これが微細の凹凸を形成していて、このため自動車のタイヤ痕が付着し、除去し難いことがある。これを、より平滑な凸部表面を設けることによって防ぎたい。
これを解決するために、表面に凹凸を設け、該表面に光触媒を被覆する方法が提案（特開２００５−４８３５９号公報）されている。（特許文献１）
また、抗菌性物質を基材内に混入することにより表面の菌の繁殖を防止するようになした提案として国際公開番号２００６／１２９８３８号公報がある。（特許文献２）
これらはいずれも有益な解決策であるが、いずれも材料が高価であり、表面処理の方法には言及されていない。【０００３】
【特許文献１】特開２００５−４８３５９号公報
【特許文献２】国際公開番号２００６／１２９８３８号公報
【考案の開示】
【考案が解決しようとする課題】
【０００４】  以上説明した課題は、それら課題となる現象は異なるが、保水性を保ちつつ藻の発生や歩行中のスリップなどの起こりにくい表面を実現する必要がある。【０００５】  また、汚れにくい、滑らない、常時土並みに湿った舗装が実現でき、都市の夏季のヒートアイランド現象防止、冬季の乾燥防止に役立つ保水性ブロックを提供することにある。【０００６】  さらに、生産性や効果の長期化とともにコストも安価に実現することも必要である。【０００７】    以上要約すると、都市の夏季のヒートアイランド現象は保水性のないアスファルトやコンクリート舗装も一因であり、その防止を狙って、保水性ブロックが市販されている。保水性はインターロッキングブロックでは、保水量０．１５ｇ／ｃｍ３以上の規格があるが、この程度の保水量（例えば０．２ｇ／ｃｍ３）では、夏季の温度低減効果の持続時間は極めて短い。せいぜい雨後１日。夏季日中、雨後一週間でも湿った状態を維持させるためには、保水量０．２５ｇ／ｃｍ３以上と敷き砂や路盤の選択が必要である。市販品はほとんど保水量０．２５ｇ／ｃｍ３以下で、上記に挙げた問題は発生しないが、温度低減効果は小さい。
本考案は温度低減効果持続を狙って、保水量を高め、更にそれに伴い発生しやすくなる汚れ、滑りの問題解決を同時に図ったものである。
【課題を解決するための手段】
【０００８】  本考案は、かかる従来の課題を解決するものである。
本考案は、以上の三つの目的に関わる課題は、それら現象は異なるが、保水性の小さい凸部を設けること、或いは、焼成品ブロックであれば凸部の表面に釉掛けすることでいずれも解決できる。このブロックでは、水の蒸発は、凹部で起こり、凸部では起きにくくなり（釉掛けの凸部であれば、その側面からも同様蒸発する）蒸発面積は減って、温度低減効果は平滑な高保水性ブロックには劣るが、低減効果の持続は長くなり、総じて効果は同じ。【０００９】本考案により、汚れにくい、滑らない、常時土並みに湿った舗装が可能になり、都市の夏季のヒートアイランド現象防止、冬季の乾燥防止に役立つ。【００１０】凸部は筋状に形成してもよく、また縦横に形成してもよいが、歩行などを考慮することが必要であり、凸部間で形成される凹部がヒールの踵などが嵌らないような幅とすることが必要である。【００１１】  本考案を実施例に従って説明する。
本考案の保水性ブロックＡは図１の平面図に示すように、少なくとも横方向など一方向の縦壁および底部からなる溝１を女性用ヒール等の先端が嵌着しない幅で凹設し、残りの部分である凸部２表面には、釉薬や塗料などの表面部３を形成するものである。釉薬や塗料などで表面部３を形成させない場合、凸部２は保水量０．１５ｇ／ｃｍ３以下とする。また１００ｍｍ×２００ｍｍ角の保水性ブロックＡの場合、厚さは６０〜８０ｍｍであり、凸部２の高さは０．９〜２．０ｍｍあればよい。またこの時の表面部３は、０．２ｍｍである。【００１２】  図２は、本考案の溝１と凸部２を部分拡大した一部を示す側面図である。表面部３を釉掛け層とした場合である。また図３は保水性を抑え、保水量０．１５ｇ／ｃｍ３以下の保水性とした場合を示す正面図である。図示はしないが、溝１は縦横に形成してもよい。【００１３】  本考案は、溝１および該溝１を形成する縦壁および底部から水を吸収・放出することとなる。【００１４】  また、表面が乾燥し易くなっているため、表面での凍結や藻等の発生がなく、常に当初の美観を維持でき、滑り等の欠点や美観を損ねることもない。
【考案を実施するための最良の形態】
【００１５】以下、本発明の好適な実施形態を説明する。
本考案は、保水量０．２５ｇ／ｃｍ３以上の保水性を持つ本体表面に保水量０．１５ｇ／ｃｍ３以下、高さ０．５ｍｍ以上の凸部２を多数個設けることにより、溝部１が形成されるとともに、凸部の保水量が０．１５ｇ／ｃｍ３以上の場合は、該凸部２上面の表面に釉掛けした表面部３を形成したことを特徴とする保水性ブロックである。
【産業上の利用可能性】
【００１６】  本考案は、都市の夏季のヒートアイランド現象は保水性のないアスファルトやコンクリート舗装も一因であり、その防止を狙って、保水性ブロックが市販されている。保水性はインターロッキングブロックでは、保水量０．１５ｇ／ｃｍ３以上の規格があるが、この程度の保水量（例えば０．２ｇ／ｃｍ３）では、夏季の温度低減効果の持続時間は極めて短く、せいぜい雨後１日。夏季日中、雨後一週間でも湿った状態を維持させるためには、保水量０．２５ｇ／ｃｍ３以上と敷き砂や路盤の選択が必要である。市販品はほとんど保水量０．２５ｇ／ｃｍ３以下で、上記に挙げた問題は発生しないが、温度低減効果は小さい。これらを同時に解決したものであり、夏季の温度低減効果の持続時間が長くなり、さらに温度低減効果の大きな保水性ブロックが提供できるものである。【００１７】  以上説明したように本考案は、温度低減効果持続を狙って、保水量を高め、更にそれに伴い発生しやすくなる汚れ、滑りの問題解決を同時に図ることができるものである。
【図面の簡単な説明】
【００１８】
【図１】  本考案の実施例を示す平面図である。
【図２】  本考案の実施例を示す部分拡大図である。
【図３】  本考案の正面図である。
【符号の説明】
【００１９】Ａ  保水性ブロック
１  溝部
２  凸部
３  表面部
【図１】
0003161983.tif 000003
【図２】
0003161983.tif 000004
【図３】
0003161983.tif 000005
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
保水量０．２５ｇ／ｃｍ３以上の保水性を持つ本体の表面に、０．５ｍｍ以上の凸部を形成し、該凸部を、多数個設けることにより溝部１が形成されたことを特徴とする保水性ブロック。
【請求項２】
保水量０．２５ｇ／ｃｍ３以上の保水性を持つ本体の表面に形成された凸部が、保水量０．１５ｇ／ｃｍ３以下の保水性としたことを特徴とする請求項１記載の保水性ブロック。
【請求項３】
保水量０．２５ｇ／ｃｍ３以上の保水性を持つ本体の表面の上面に釉掛け層を持つ凸部が形成されたことを特徴とする請求項１記載の保水性ブロック。